【事件の表示】
　特願２００７−２８３１０９「薄型固体電解コンデンサアセンブリ」拒絶査定不服審判事件〔平成２０年　５月２２日出願公開、特開２００８−１１８１３７、請求項の数（２４）〕について、次のとおり審決する。
【結　論】
　原査定を取り消す。
　本願の発明は、特許すべきものとする。
【理　由】
第１．手続の経緯 
 　 
　本願は、平成１９年１０月３１日（パリ条約に基づく優先権主張　平成１８年１０月３１日　米国（ＵＳ））の出願であって、平成２４年２月２０日付け拒絶理由通知に対する応答時、同年５月２８日付けで手続補正がなされたが、同年１０月９日付けで拒絶査定がなされ、これに対して、平成２５年２月１５日付けで拒絶査定不服審判の請求及び手続補正がなされた。 
　その後、平成２５年５月２１日付けで前置報告書を利用した審尋がなされ、同年９月２７日付けで回答書が提出され、当審がした平成２６年２月２６日付け拒絶理由通知に対する応答時、同年３月１４日付けで手続補正がなされたものである。 
 　 
第２．本願発明 
 　 
　本願の請求項１ないし２４に係る発明は、平成２６年３月１４日付けの手続補正で補正された特許請求の範囲の請求項１ないし２４に記載された事項により特定される、次のとおりのものである。 
「　【請求項１】
　アノードリード及びカソードリードに電気的に接続した封入コンデンサ要素を収容し、かつ約４．０ミリメートル又はそれ未満の厚みを有する、アレイの形態に配列された複数の個別の固体電解コンデンサと、
　前記固体電解コンデンサの前記アノードリードに電気的に接続され、基部アノード部分からその長手方向に対して垂直方向に延びる分岐アノード部分を含む共通のアノード端末と、
　前記固体電解コンデンサの前記カソードリードに電気的に接続され、基部カソード部分からその長手方向に対して垂直方向に延びる分岐カソード部分を含む共通のカソード端末と、
　を含み、
　前記分岐アノード部分及び前記分岐カソード部分は、概して平坦であり、前記固体電解コンデンサの下面に実質的に平行かつ隣接する平面に提供されており、
　前記固体電解コンデンサは、前記基部アノード部分及び前記基部カソード部分のそれぞれの少なくとも一部分がある一定の表面への装着へのために露出されたままであるように共通の樹脂で封入されている、
　ことを特徴とするコンデンサアセンブリ。
　　【請求項２】
　前記コンデンサ要素は、バルブ金属組成物で形成されたアノード、該アノードの上に重なる誘電体膜、及び該誘電体膜の上に重なる固体電解質を収容することを特徴とする請求項１に記載のコンデンサアセンブリ。
　　【請求項３】
　前記バルブ金属組成物は、タンタルを含むことを特徴とする請求項２に記載のコンデンサアセンブリ。
　　【請求項４】
　前記バルブ金属組成物は、酸化ニオブを含むことを特徴とする請求項２に記載のコンデンサアセンブリ。
　　【請求項５】
　前記固体電解質は、マンガン酸化物を含有することを特徴とする請求項２に記載のコンデンサアセンブリ。
　　【請求項６】
　前記固体電解質は、導電性ポリマーを含有することを特徴とする請求項２に記載のコンデンサアセンブリ。
　　【請求項７】
　前記アノードリード、前記カソードリード、又は両方の露出部分が、前記コンデンサ要素の底面と実質的に平行な平面に設けられていることを特徴とする請求項１に記載のコンデンサアセンブリ。
　　【請求項８】
　前記アノードリード、前記カソードリード、又は両方は、Ｊ字形構成に曲げられていることを特徴とする請求項１に記載のコンデンサアセンブリ。
　　【請求項９】
　前記アレイは、２から４０個の前記固体電解コンデンサを含むことを特徴とする請求項１に記載のコンデンサアセンブリ。
　　【請求項１０】
　前記アレイは、６から１６個の前記固体電解コンデンサを含むことを特徴とする請求項１に記載のコンデンサアセンブリ。
　　【請求項１１】
　前記アレイは、前記固体電解コンデンサの複数の行及び列を形成することを特徴とする請求項１に記載のコンデンサアセンブリ。
　　【請求項１２】
　前記固体電解コンデンサは、約０．５から約２．０ミリメートルの厚みを有することを特徴とする請求項１に記載のコンデンサアセンブリ。
　　【請求項１３】
　１２０Ｈｚの周波数で測定された約１００から５０、０００μＦのキャパシタンスを有
することを特徴とする請求項１に記載のコンデンサアセンブリ。
　　【請求項１４】
　１２０Ｈｚの周波数で測定された約２、５００から約７、０００μＦのキャパシタンス
を有することを特徴とする請求項１に記載のコンデンサアセンブリ。
　　【請求項１５】
　約５ミリメートル又はそれ未満の厚みを有することを特徴とする請求項１に記載のコンデンサアセンブリ。
　　【請求項１６】
　約０．８から約２．５ミリメートルの厚みを有することを特徴とする請求項１に記載のコンデンサアセンブリ。
　　【請求項１７】
　請求項１に記載のコンデンサアセンブリを含むことを特徴とするＰＣＭＣＩＡカード。
　　【請求項１８】
　コンデンサアセンブリを形成する方法であって、
　アレイの形態に配列され、アノードリード及びカソードリードに電気的に接続した封入コンデンサ要素を収容する複数の個別の固体電解コンデンサを準備する段階と、
　第１の表面及び反対側の第２の表面を有し、基部カソード部分からその長手方向に対して垂直方向に延びる分岐カソード部分を含む共通のカソード端末及び基部アノード部分からその長手方向に対して垂直方向に延びる分岐アノード部分を含む共通のアノード端末を形成するリードフレームを準備する段階と、
　前記アノードリードを前記アノード端末の前記分岐アノード部分の前記第１の表面に、かつ前記カソードリードを前記カソード端末の前記分岐カソード部分の前記第１の表面に電気的に接続する段階であって、前記分岐アノード部分及び前記分岐カソード部分は、概して平坦であり、前記固体電解コンデンサの下面に実質的に平行かつ隣接する平面に提供される、前記電気的に接続する段階と、
　前記基部アノード部分及び前記基部カソード部分のそれぞれの少なくとも一部分が、ある一定の表面への装着のために露出されたままであるように共通の樹脂で前記固体電解コンデンサを封入する段階と、
　を含むことを特徴とする方法。
　　【請求項１９】
　前記アレイは、２から４０個の前記固体電解コンデンサを含むことを特徴とする請求項１８に記載の方法。
　　【請求項２０】
　前記アレイは、前記固体電解コンデンサの複数の行及び列を形成することを特徴とする請求項１８に記載の方法。
　　【請求項２１】
　前記固体電解コンデンサは、約４ミリメートル又はそれ未満の厚みを有することを特徴とする請求項１８に記載の方法。
　　【請求項２２】
　前記固体電解コンデンサは、約０．５から約２．０ミリメートルの厚みを有することを特徴とする請求項１８に記載の方法。
　　【請求項２３】
　前記アセンブリは、約５ミリメートル又はそれ未満の厚みを有することを特徴とする請求項１８に記載の方法。
　　【請求項２４】
　前記アセンブリは、約０．８から約２．５ミリメートルの厚みを有することを特徴とする請求項１８に記載の方法。」 
 　 
第３．原査定の理由について 
 　 
１．原査定の理由の概要
　
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
　
・請求項：１−３４
・引用文献等：１,２
・備考
　引用文献１には、モールド樹脂よりなる樹脂外装体を形成した固体電解コンデンサを複数個直列に接続した状態でケース内に収納してなるコンデンサユニット、ケースには最外端に位置する各固体電解コンデンサのリード端子に接触する一対の端子金具を設ける点が記載されている（特許請求の範囲１,３,４,第１−６図等参照。）。
　ここで、引用文献１に記載された発明において、使用するコンデンサの形状（厚み）、容量、個数等は、当業者が適宜設計・選択することである。
　また、コンデンサユニット全体を樹脂モールドすることは、例示するまでもなく周知技術であり、当業者であれば適宜なし得ることである。
　また、例えば、引用文献２の段落【００４５】−【００４６】に、「コンデンサ素子４の陽極導出線８を共通の陽極端子１０Ａ、１０Ｂに接続する。・・・また、各列のコンデンサ素子４を以て素子列が構成され、列毎に陰極端子板１２を共通に接続し、各陰極端子板１２の端部に陰極端子１２Ａ、１２Ｂを接続した」点が記載されているとおり、コンデンサユニットの端子金具として分岐部分を設けた端子板を用いることは、格別困難なことではない。
　そして、引用文献１に記載された発明のコンデンサユニットにおいて、例えば、引用文献２に記載された発明の端子板を採用し、本願の請求項１−３４に係る発明の構成とすることは、当業者が容易に想到し得たことである。
　
　拒絶の理由が新たに発見された場合には拒絶の理由が通知される。
　
　　　　　　　　　　　引　用　文　献　等　一　覧
１.特開平０３−２１２９２０号公報
２.特開２００４−２８１７４９号公報」 
 　 
２．原査定の理由についての判断 
 　 
（１）刊行物の記載事項 
（１−１）引用例１ 
　原査定の拒絶の理由に引用された特開平３−２１２９２０号公報（以下、「引用例１」という。）には、「固体電解コンデンサおよびそのユニット」について、図面とともに以下の各記載がある（なお、下線は当審で付与した。）。 
　ア．「２．特許請求の範囲
　（１）
コンデンサ素子の陽極リードに外部引出し用の陽極リード端子を溶接するとともに、同コンデンサ素子の陰極面に導電性接着材を介して外部引出し用の陰極リード端子を取付け、上記コンデンサ素子のまわりにモールド樹脂よりなる樹脂外装体を形成し
てなる固体電解コンデンサ
上記陽極リード端子および陰極リード端子が引出されている上記樹脂外装体の各側面には、この固体電解コンデンサ同士を直列的に配列した場合、その隣合うリード端子同士を電気的に接触させた状態で互いに嵌合する連結ガイド手段が形成されている
　　　　　　　　　　・・・・・（中　略）・・・・・
　（３）
請求項１に記載の固体電解コンデンサを複数個直列に接続した状態でケース内に収納してなることを特徴とする固体電解コンデンサのユニット
　（４）
上記ケースには最外端に位置する各固体電解コンデンサのリード端子に接触する一対の端子金具が設けられている
　
　イ．「
この発明は、固体電解コンデンサおよび同コンデンサ同士を直列に配列してなるコンデンサユニットに関する
　
　ウ．「第１図および第２図はこの固体電解コンデンサ１をそれぞれ反対方向から見た斜視図、第３図はその断面図である。これによると、同固体電解コンデンサ１は例えばタンタルなどの弁作用金属粉末の陽極焼結体からなるコンデンサ素子２を備えている。このコンデンサ素子２は陽極リード２ａを有し、陽極焼結体は化成されたのち、二酸化マンガンよりなる固体電解質によって覆われ、さらにその上にカーボン・銀ペーストからなる陰極面２ｂが形成されている。
陽極リード２ａに外部引出し用の陽極リード端子３が溶接により取付けられる。陰極面２ｂには接着銀などの導電性接着材５を介して外部引出し用の陰極リード端子４が取付けられる
　
しかるのち、コンデンサ素子２のまわりに例えばトランスファモールドなどにて樹脂外装体６がチップ状を呈するように形成されるのであるが、この場合、リード端子３，４が引出されている各側面６ａ，６ｂには、この固体電解コンデンサ１同士を直列的に接続する際のガイドとなる連結ガイド手段が設けられている
同連結ガイド手段は陽極側側面６ａに形成された突起７と、この突起７に合致するように陰極側側面６ｂに形成された凹部８との組み合わせからなる
　
　エ．「第４図には、例えば３つの固体電解コンデンサ１を直列に連結した状態が示されている。すなわち、
突起７を隣のコンデンサ１の凹部８内に嵌合させることにより、陽極リード端子３と陰極リード端子４とが接触し、コンデンサ１同士が電気的に直列に接続される
　第５図および第６図には、上記のように
直列接続される固体電解コンデンサ１をユニット化するためのケース１０が示されている。すなわち、このケース１０は例えば３つのコンデンサ１を収納し得る大きさの上面が開放された直方形状の箱体からなり、その長手方向に対向する両側壁１０ａ，１０ｂには、最外側に配置されるコンデンサ１，１の陽極リード端子３と陰極リード端子４に接触する端子金具１１，１２が設けられている
ケース１０を回路基板に対して表面実装し得るように、各端子金具１１，１２は同ケース１０の側面から底面にかけて図示のように折り曲げられている
　
　・上記引用例１に記載の「固体電解コンデンサおよびそのユニット」のうち、「ユニット」に係るものは、上記「イ．」の記載事項によれば、固体電解コンデンサ同士を直列に配列してなるコンデンサユニットに関するものである。
　・上記「ア．」のうち特許請求の範囲（１）、「ウ．」の記載事項、及び第１図〜第３図によれば、各固体電解コンデンサ１は、コンデンサ素子２の陽極リード２ａに外部引出し用の陽極リード端子３を溶接するとともに、同コンデンサ素子２の陰極面２ｂに導電性接着材５を介して外部引出し用の陰極リード端子４を取付け、コンデンサ素子２のまわりにモールド樹脂よりなる樹脂外装体６をチップ状を呈するように形成してなるものであり、
　また、陽極リード端子３および陰極リード端子４が引出されている樹脂外装体６の各側面には、この固体電解コンデンサ１同士を直列的に配列した場合、その隣合うリード端子同士を電気的に接触させた状態で互いに嵌合する突起７と凹部８との組み合わせからなる連結ガイド手段が形成されてなるものである。
　・上記「ア．」のうち特許請求の範囲（３）（４）、「エ．」の記載事項、及び第４図〜第６図によれば、コンデンサユニットは、複数個の固体電解コンデンサ１を連結ガイド手段で連結することによって直列接続した状態で上面が解放された直方形状の箱体からなるケース１０に収納してなるものである。
　そして、ケース１０には、その長手方向に対向する両側壁に、一方の最外端に位置する固体電解コンデンサ１の陽極リード端子３と接触する端子金具１１と、他方の最外端に位置する固体電解コンデンサ1の陰極リード端子４と接触する端子金具１２がそれぞれ設けられ、ケース１０を回路基板に対して表面実装し得るように、各端子金具１１，１２は同ケース１０の側面から底面にかけて折り曲げられてなるものである。
　
　したがって、上記記載事項及び図面を総合勘案すると、引用例１には、次の発明（以下、「引用発明」という。）が記載されている。 
「複数個の固体電解コンデンサ同士を直列に配列してなるコンデンサユニットであって、
　前記各固体電解コンデンサは、コンデンサ素子の陽極リードに外部引出し用の陽極リード端子を溶接するとともに、同コンデンサ素子の陰極面に導電性接着材を介して外部引出し用の陰極リード端子を取付け、当該コンデンサ素子のまわりにモールド樹脂よりなる樹脂外装体をチップ状を呈するように形成してなるものであり、
　前記陽極リード端子及び前記陰極リード端子が引出されている前記樹脂外装体の各側面には、この固体電解コンデンサ同士を直列的に配列した場合、その隣合うリード端子同士を電気的に接触させた状態で互いに嵌合する突起と凹部との組み合わせからなる連結ガイド手段が形成されており、上面が解放された直方形状の箱体からなるケースに、複数個の前記固体電解コンデンサを前記連結ガイド手段で連結することによって直列接続した状態で収納してなり、
　前記ケースには、その長手方向に対向する両側壁に、一方の最外端に位置する前記固体電解コンデンサの前記陽極リード端子と接触する端子金具と、他方の最外端に位置する前記固体電解コンデンサの前記陰極リード端子と接触する端子金具がそれぞれ設けられ、
　前記各端子金具は、前記ケースを回路基板に対して表面実装し得るように同ケースの側面から底面にかけて折り曲げられてなる、コンデンサユニット。」 
 　 
（１−２）引用例２ 
　同じく原査定の拒絶の理由に引用された特開２００４−２８１７４９号公報（以下、「引用例２」という。)には、「固体電解コンデンサ」について、図面とともに以下の各記載がある（なお、下線は当審で付与した。）。 
　ア．「【００４４】
次に、本発明の第３の実施形態に係る固体電解コンデンサ及びその製造方法を図６を参照して詳細に説明する。図６は、第３の実施形態に係る固体電解コンデンサを示している。
【００４５】
複数のコンデンサ素子４を用いてマトリクス状に配列させ
てコンデンサ素子群３０が構成されている。このコンデンサ素子群３０において、各行のコンデンサ素子４を陽極導出線８により直列に接続し
素子行とし、各端部のコンデンサ素子４の陽極導出線８を共通の陽極端子１０Ａ、１０Ｂに接続する
【００４６】
また、各列のコンデンサ素子４を以て素子列が構成され、列毎に陰極端子板１２を共通に接続し、各陰極端子板１２の端部に陰極端子１２Ａ、１２Ｂを接続した
【００４７】
そして、
以上のように構成したコンデンサ素子群３０は、例えば、図７の（Ａ）及び（Ｂ）に示すように、外装樹脂層６で被覆すれば、複数のコンデンサ素子４を直並列化してなる固体電解コンデンサ２が構成でき、この固体電解コンデンサ２の４面部から陽極端子１０Ａ、１０Ｂ及び陰極端子１２Ａ、１２Ｂが導出されている
外装樹脂層６の側面及び底面に沿って陽極端子１０Ａ、１０Ｂ及び陰極端子１２Ａ、１２Ｂを例えば、図４に示したように折り曲げて外部端子として構成すれば、例えば、図８の等価回路に示すように、複数のコンデンサ素子４をマトリクス状に配列させて直並列化した表面実装型の固体電解コンデンサ２が得られ
　
　・上記引用例２に記載の「固体電解コンデンサ」は、上記「ア．」の段落【００４７】、及び図６〜８によれば、複数のコンデンサ素子をマトリクス状に配列させて直並列化した表面実装型の固体電解コンデンサに関するものである。
　・上記「ア．」の段落【００４５】、【００４６】、及び図６によれば、複数のコンデンサ素子４をマトリクス状に配列させてコンデンサ素子群３０が構成され、当該コンデンサ素子群３０において、各行のコンデンサ素子４を陽極導出線８により直列に接続して素子行とし、各端部のコンデンサ素子４の陽極導出線８をそれぞれ共通の陽極端子１０Ａ、１０Ｂに接続するとともに、各列のコンデンサ素子４を以て素子列が構成され、列毎に陰極端子板１２を共通に接続し、各陰極端子板１２の各端部にそれぞれ陰極端子１２Ａ、１２Ｂを接続してなるものである。
　・上記「ア．」の段落【００４７】、及び図７によれば、以上のように構成したコンデンサ素子群３０を外装樹脂層６で被覆することにより、複数のコンデンサ素子４を直並列化してなり、４面部から陽極端子１０Ａ、１０Ｂ及び陰極端子１２Ａ、１２Ｂが外部端子として導出された固体電解コンデンサ２が構成されてなるものである。
　
　したがって、第３の実施形態に係るものに着目し、上記記載事項及び図面を総合勘案すると、引用例２には、次の技術事項が記載されている。
「複数のコンデンサ素子をマトリクス状に配列させて直並列化した表面実装型の固体電解コンデンサにおいて、
　前記複数のコンデンサ素子をマトリクス状に配列させてコンデンサ素子群を構成し、各行のコンデンサ素子を陽極導出線により直列に接続して素子行とし、各端部のコンデンサ素子の前記陽極導出線をそれぞれ共通の第１の陽極端子、第２の陽極端子に接続するとともに、各列のコンデンサ素子を以て素子列とし、列毎に陰極端子板を共通に接続し、当該各陰極端子板の各端部にそれぞれ第１の陰極端子、第２の陰極端子を接続してなり、
　以上のように構成した前記コンデンサ素子群を外装樹脂層で被覆することによって、前記複数のコンデンサ素子を直並列化してなり、４面部から前記第１，２の陽極端子、及び前記第１，２の陰極端子がそれぞれ外部端子として導出されるようにしてなること。」
　
（２）対比 
　そこで、本願の請求項１に係る発明（以下、「本願発明１」という。）と引用発明とを対比すると、 
　ア．引用発明における「固体電解コンデンサ」、「陽極リード端子」、「陰極リード端子」は、それぞれ本願発明１における「固体電解コンデンサ」、「アノードリード」、「カソードリード」に相当し、
　引用発明における「複数個の固体電解コンデンサ同士を直列に配列してなるコンデンサユニットであって、前記各固体電解コンデンサは、コンデンサ素子の陽極リードに外部引出し用の陽極リード端子を溶接するとともに、同コンデンサ素子の陰極面に導電性接着材を介して外部引出し用の陰極リード端子を取付け、当該コンデンサ素子のまわりにモールド樹脂よりなる樹脂外装体をチップ状を呈するように形成してなるものであり」によれば、
 (a)陽極リード端子及び陰極リード端子は、当然、コンデンサ素子に「電気的に接続」されており、
 (b)そのコンデンサ素子は、モールド樹脂よりなる樹脂外装体がチップ状を呈するように形成されることから、本願発明１でいう「封入コンデンサ要素を収容」しているといえるとともに、各固体電解コンデンサは、「個別の」ものであるといえるものである。
 (c)また、複数個の固体電解コンデンサ同士が直列に配列されているということは、複数の個別の固体電解コンデンサが「アレイの形態に配列され」ていること意味する。
　したがって、本願発明１と引用発明とは、後述の相違点を除いて「アノードリード及びカソードリードに電気的に接続した封入コンデンサ要素を収容し、アレイの形態に配列された複数の個別の固体電解コンデンサと」を含むものである点で共通する。
　
　イ．引用発明における、陽極リード端子と接触する「端子金具」、陰極リード端子と接触する「端子金具」は、それぞれ本願発明１における「アノード端末」、「カソード端末」に相当し、
　引用発明における「前記ケースには、その長手方向に対向する両側壁に、一方の最外端に位置する前記固体電解コンデンサの前記陽極リード端子と接触する端子金具と、他方の最外端に位置する前記固体電解コンデンサの前記陰極リード端子と接触する端子金具がそれぞれ設けられ、前記各端子金具は、前記ケースを回路基板に対して表面実装し得るように同ケースの側面から底面にかけて折り曲げられてなる」によれば、
 (a)各端子金具において、ケースを回路基板に対して表面実装し得るように同ケースの側面から底面にかけて折り曲げられてなる部分は、表面実装のためにケースから「露出されたままである」部分であり、かかる部分は、本願発明１でいう「基部アノード部分」及び「基部カソード部分」に対応するとみることができ、
 (b)一方、このケースの側面から底面にかけて折り曲げられてなる部分から延びてケース内にて陽極リード端子及び陰極リード端子とそれぞれ接触する部分、すなわち、電気的に接続される部分をも含むものである。
　したがって、本願発明１と引用発明とは、後述の相違点を除いて「前記固体電解コンデンサの前記アノードリードに電気的に接続され、基部アノード部分から延びるアノード部分を含むアノード端末と、前記固体電解コンデンサの前記カソードリードに電気的に接続され、基部カソード部分から延びるカソード部分を含むカソード端末と」を含むものである点、及び「前記基部アノード部分及び前記基部カソード部分のそれぞれの少なくとも一部分がある一定の表面への装着へのために露出されたままである」点で共通するということができる。
　
　ウ．そして、引用発明における「コンデンサアセンブリ」は、本願発明１における「コンデンサアセンブリ」に相当する。
　
　よって、本願発明１と引用発明とは、 
「アノードリード及びカソードリードに電気的に接続した封入コンデンサ要素を収容し、アレイの形態に配列された複数の個別の固体電解コンデンサと、
　前記固体電解コンデンサの前記アノードリードに電気的に接続され、基部アノード部分から延びるアノード部分を含むアノード端末と、
　前記固体電解コンデンサの前記カソードリードに電気的に接続され、基部カソード部分から延びるカソード部分を含むカソード端末と、
　を含み、
　前記基部アノード部分及び前記基部カソード部分のそれぞれの少なくとも一部分がある一定の表面への装着へのために露出されたままである、
　ことを特徴とするコンデンサアセンブリ。」 
である点で一致し、以下の点で相違する。 
 　 
［相違点１］ 
　複数の個別の固体電解コンデンサについて、本願発明１では、「約４．０ミリメートル又はそれ未満の厚みを有する」と特定するのに対し、引用発明では、そのような特定がない点。
　
［相違点２］ 
　アノード端末及びカソード端末について、本願発明１では、基部アノード部分から「その長手方向に対して垂直方向に」延びる「分岐」アノード部分を含む「共通の」もの、及び基部カソード部分から「その長手方向に対して垂直方向に」延びる「分岐」カソード部分を含む「共通の」ものであり、「前記分岐アノード部分及び前記分岐カソード部分は、概して平坦であり、前記固体電解コンデンサの下面に実質的に平行かつ隣接する平面に提供されて」いる旨特定するのに対し、引用発明では、そのような特定がない点。
　
［相違点３］
　基部アノード部分及び基部カソード部分のそれぞれの少なくとも一部分がある一定の表面への装着へのために露出されたままであるように、本願発明１では、固体電解コンデンサは「共通の樹脂で封入されている」と特定するのに対し、引用発明では、そのような特定がない点。
　
（３）判断 
　まず、上記［相違点２］について検討する。
　引用発明におけるコンデンサユニットを構成する各固体電解コンデンサは、「前記陽極リード端子及び前記陰極リード端子が引出されている前記樹脂外装体の各側面には、この固体電解コンデンサ同士を直列的に配列した場合、その隣合うリード端子同士を電気的に接触させた状態で互いに嵌合する突起と凹部との組み合わせからなる連結ガイド手段が形成されており、上面が解放された直方形状の箱体からなるケースに、複数個の前記固体電解コンデンサを前記連結ガイド手段で連結することによって直列接続した状態で収納して」なるものであることからも明らかなように、複数個の固体電解コンデンサが「直列」接続されることを前提とするものである。
　これに対して、本願発明１では、アノード端末が、基部アノード部分からその長手方向に対して垂直方向に延び、アノードリードに電気的に接続される分岐アノード部分を含む「共通の」ものであり、同様に、カソード端末が、基部カソード部分からその長手方向に対して垂直方向に延び、カソードリードに電気的に接続される分岐カソード部分を含む「共通の」ものであることからして、複数個の固体電解コンデンサは「並列」接続されることを前提とするものであると解され、したがって、本願発明１と引用発明とは、その前提において大きく相違するものである。
　そのため、引用発明からは、本願発明１における、アノード端末が、基部アノード部分から「その長手方向に対して垂直方向に」延び、アノードリードに電気的に接続される「分岐」アノード部分を含む「共通の」ものであり、同様に、カソード端末が、基部カソード部分から「その長手方向に対して垂直方向に」延び、カソードリードに電気的に接続される「分岐」カソード部分を含む「共通の」ものであって、さらに「前記分岐アノード部分及び前記分岐カソード部分は、概して平坦であり、前記固体電解コンデンサの下面に実質的に平行かつ隣接する平面に提供されて」いるとする発明特定事項を導き出すことはできないばかりか、引用発明に対してそのような発明特定事項を適用すべき動機付けも見出せない。
　なお、本願発明１の上記発明特定事項については、引用例２（前記（１）（１−２）を参照）にも記載されているとはいえない〔特に、引用例２に記載のものにおける「陽極端子」は、本願発明１における「分岐アノード部分」に相当する部分を有していない。また、「陰極端子」、「陰極端子板」については、それぞれ本願発明１における「基部カソード部分」、「分岐カソード部分」に対応するといえるものの、「陰極端子板」は、コンデンサ素子の陰極層に接続される（引用例２の図６を参照）ものであって、本願発明１のように「カソードリード」に接続されるものではない。〕。
　
　よって、少なくとも本願発明１の上記発明特定事項については、引用発明及び引用例２に記載の技術事項に基づいて当業者であれば容易に想到し得たものとすることはできない。 
　
　したがって、他の相違点（相違点１，３）について検討するまでもなく、本願発明１は、引用発明及び引用例２に記載の技術事項に基づいて当業者が容易に発明をすることができたとはいえない。 
　
（４）本願の請求項２ないし２４に係る発明について
（４−１）請求項２ないし１７に係る発明 
　請求項２ないし１７は、請求項１に従属する請求項であり、請求項２ないし１７に係る発明は、本願発明１の発明特定事項をすべて含みさらに発明特定事項を追加して限定するものであるから、上記（３）と同じ理由により、引用発明及び引用例２に記載の技術事項に基づいて当業者が容易に発明をすることができたとはいえない。
 　 
（４−２）請求項１８に係る発明 
　独立形式で記載された請求項１８に係る発明は、「コンデンサアセンブリ」に係る発明である本願発明１を、コンデンサアセンブリを形成する「方法」に係る発明にそのカテゴリーを変えて表現したものであって、実質的に本願発明１の上記相違点２に係る発明特定事項を共通して有するものであるから、上記（３）と同じ理由により、引用発明及び引用例２に記載の技術事項に基づいて当業者が容易に発明をすることができたとはいえない。
　
（４−３）請求項１９ないし２４に係る発明
　請求項１９ないし２４は、請求項１８に従属する請求項であり、請求項１９ないし２４に係る発明は、請求項１８に係る発明の発明特定事項をすべて含みさらに発明特定事項を追加して限定するものであるから、上記（４−２）と同じ理由により、引用発明及び引用例２に記載の技術事項に基づいて当業者が容易に発明をすることができたとはいえない。
　
（５）原査定の理由についてのむすび
　以上のとおり、本願の請求項１ないし２４に係る発明は、引用発明及び引用例２に記載の技術事項に基づいて当業者が容易に発明をすることができたものとすることができないから、原査定の理由によっては、本願を拒絶することはできない。
　
第４．当審の拒絶の理由について
　
１．当審拒絶理由の概要
　
　当審において平成２６年２月２６日付けで通知した拒絶理由の概要は、次のとおりである。
「本件出願は、特許請求の範囲の記載が下記の点で不備のため、特許法第３６条第６項第２号に規定する要件を満たしていない。 
　
　　　　　　　　　　　　　　　　記 
　１．請求項１において、「・・基部アノード部分から延びる分岐アノード部分を含む共通のアノード端末・・」とあるが、基部アノード部分から分岐アノード部分がとのように（どの方向に）延びるのかが不明なため、アノード端末の形状や構造が明らかでなく（このことは、カソード端末についても同様にいえることである）、この請求項１に係る発明は明確なものでない。 
　請求項２０についても同様。 
　
　２．請求項１において、「・・前記アノード端末及びカソード端末の少なくとも一部分が・・・露出されたまま・・」とあるが、アノード端末及びカソード端末のどの部分が露出されるのかが不明確である。（少なくとも、分岐アノード部分や分岐カソード部分の一部分が露出されることは想定されないはず。） 
　請求項２０についても同様。 
　
　なお、請求項１２，１３の各請求項に記載の発明特定事項は、引用する請求項１に記載の発明特定事項と完全に重複しており、不要と思われる。 
　請求項２３，２４についても同様。」
　
２．当審拒絶理由についての判断
　
　これに対して、平成２６年３月１４日付けの手続補正により特許請求の範囲が補正され、具体的には、
 (a)上記「１．」の指摘に対して、
　請求項１及び請求項１８（補正前の請求項２０）において、分岐アノード部分は、基部アノード部分から「その長手方向に対して垂直方向に」延びるものであり、同様に、分岐カソード部分は、基部カソード部分から「その長手方向に対して垂直方向に」延びるものであること、及び「前記分岐アノード部分及び前記分岐カソード部分は、概して平坦であり、前記固体電解コンデンサの下面に実質的に平行かつ隣接する平面に提供されて」いることを明確にする補正がなされた。
　
 (b)上記「２．」の指摘に対して、
　「前記基部アノード部分及び前記基部カソード部分のそれぞれ」の少なくとも一部分が露出されたままであることを明確にする補正がなされた。
　
 (c)なお、上記「なお書き」の指摘をうけて、請求項１２，１３，２３，２４を削除する補正がなされた。
　
　したがって上記(a)ないし(c)によれば、当審の拒絶理由で指摘した不備な点はすべて解消され、本件出願は、特許法第３６条第６項第２号に規定する要件を満たしているものと認められる。
　
第５．むすび 
 　 
　以上のとおり、原査定の理由によっては、本願を拒絶することはできない。 
　また、他に本願を拒絶すべき理由を発見しない。 
　よって、結論のとおり審決する。